(57)【特許請求の範囲】
【請求項１】
門扉に取り付けられて上下にスライドする棒部を有し、当該棒部が地面に設けられた穴に挿入されて門扉の開閉を阻止する落とし棒において、ガイド部材と、蓋部材とを有し、前記棒部の先端側には蓋部材通過部があり、前記蓋部材には棒部通過孔が設けられ、前記蓋部材は地面に設けられた穴に装着され、前記ガイド部材は、直線方向ガイド部と回動方向ガイド部とを有していて、前記門扉に装着されており、前記棒部は、ガイド部材に対して特定の回動位置にある時に、前記直線方向ガイド部に沿って昇降可能であると共に、棒部の蓋部材通過部が蓋部材の棒部通過孔を通過可能であり、棒部の蓋部材通過部が蓋部材の下にある状態で、前記回動方向ガイド部に沿って棒部を回動させることが可能であって、棒部の回動後における蓋部材通過部の姿勢は、蓋部材の棒部通過孔を通過することができないものであり、
前記棒部には摘みが設けられ、当該摘みの一部又は全部は前記棒部に対して一体的に固定されており、当該摘みが、ガイド部材に対して特定の回動位置にある時に、棒部が直線方向ガイド部に沿って昇降可能であり、
前記摘みは全体として棒部に対して軸方向の相対移動が不能であり、前記摘みは棒部に対して相対回動を許容する回動側摘み片と、棒部と一体的に回動する一体側摘み片とを有し、前記回動側摘み片と一体側摘み片とは付勢部材によって互いに回動方向に離反する方向に付勢されており、前記摘みが前記ガイド部材と係合し、前記付勢部材の付勢力に抗して、回動側摘み片と一体側摘み片とを、回動方向に近接させることによって、摘みが直線方向ガイド部を通過可能となり、回動側摘み片と一体側摘み片とは、付勢部材によって互いに回動方向に離反した姿勢にあっては、摘みが直線方向ガイド部を通過不能であることを特徴とする落とし棒。
【請求項２】
前記直線方向ガイド部は、ガイド部材に設けられた上下方向に延びる開口であり、
前記回動方向ガイド部は、直線方向ガイド部の上端部と下端部に設けられた水平方向に延びる切欠きであることを特徴とする請求項１に記載の落とし棒。
【請求項３】
前記直線方向ガイド部は、ガイド部材に設けられた上下方向に延びる開口であり、
前記回動方向ガイド部は、直線方向ガイド部の上端部と下端部に設けられた水平方向に延びる切欠きであり、
直線方向ガイド部の両端には、上下方向に延びる直線方向上端部と直線方向下端部が設けられており、
前記摘みが直線方向ガイド部に沿って上方へ移動すると、一体側摘み片の一部が前記直線方向上端部に係合し、かつ、回動側摘み片が回動方向ガイド部に沿ってガイド部材に対して回動可能になり、
前記摘みが直線方向ガイド部に沿って下方へ移動すると、一体側摘み片の一部が前記直線方向下端部に係合し、かつ、回動側摘み片が回動方向ガイド部に沿ってガイド部材に対して回動可能になることを特徴とする請求項１に記載の落とし棒。
【発明の詳細な説明】
【技術分野】
【０００１】
本発明は落とし棒に関し、さらに詳細には、門扉に取り付けられて門扉の開閉を阻止する落とし棒に関する。本発明は、伸縮門扉の転倒防止等に有用なものである。
【背景技術】
【０００２】
跳ね上げ式の門扉や伸縮門扉が一戸建住宅に備えられることがあり、不審者の侵入や、ペットの敷地外への飛び出し等を防止している。伸縮門扉は跳ね上げ式の門扉に比べ設置工事が容易であり、且つ安価である。特許文献１には、落とし棒を有した伸縮門扉が開示されている。
【先行技術文献】
【特許文献】
【０００３】
【特許文献１】特許第３２５４５６２号公報
【発明の概要】
【発明が解決しようとする課題】
【０００４】
特許文献１に開示された伸縮門扉は、移動杆（桟）の中央近傍にツマミを有し、ツマミに連結された落とし棒を有している。つまり、ツマミを上下に操作することにより、落とし棒を上下させることができ、落とし棒を地面に設けられた穴に落とすことで、伸縮門扉の固定を容易に行うことができる。
ところが、特許文献１に開示された伸縮門扉は、強い風等によって横向きの力を受けると、地面に設けられた穴から落とし棒が抜け、伸縮門扉が転倒する場合があり、不測の事態を招くおそれがある。
【０００５】
上記した現状に鑑み、本発明は、地面に設けられた穴から容易に抜けることがなく、門扉の開閉を強固に阻止することができる落とし棒の提供を目的とする。
【課題を解決するための手段】
【０００６】
上記課題を解決するための請求項１に記載の発明は、門扉に取り付けられて上下にスライドする棒部を有し、当該棒部が地面に設けられた穴に挿入されて門扉の開閉を阻止する落とし棒において、ガイド部材と、蓋部材とを有し、前記棒部の先端側には蓋部材通過部があり、前記蓋部材には棒部通過孔が設けられ、前記蓋部材は地面に設けられた穴に装着され、前記ガイド部材は、直線方向ガイド部と回動方向ガイド部とを有していて、前記門扉に装着されており、前記棒部は、ガイド部材に対して特定の回動位置にある時に、前記直線方向ガイド部に沿って昇降可能であると共に、棒部の蓋部材通過部が蓋部材の棒部通過孔を通過可能であり、棒部の蓋部材通過部が蓋部材の下にある状態で、前記回動方向ガイド部に沿って棒部を回動させることが可能であって、棒部の回動後における蓋部材通過部の姿勢は、蓋部材の棒部通過孔を通過することができないものであり、前記棒部には摘みが設けられ、当該摘みの一部又は全部は前記棒部に対して一体的に固定されており、当該摘みが、ガイド部材に対して特定の回動位置にある時に、棒部が直線方向ガイド部に沿って昇降可能であり、前記摘みは全体として棒部に対して軸方向の相対移動が不能であり、前記摘みは棒部に対して相対回動を許容する回動側摘み片と、棒部と一体的に回動する一体側摘み片とを有し、前記回動側摘み片と一体側摘み片とは付勢部材によって互いに回動方向に離反する方向に付勢されており、前記摘みが前記ガイド部材と係合し、前記付勢部材の付勢力に抗して、回動側摘み片と一体側摘み片とを、回動方向に近接させることによって、摘みが直線方向ガイド部を通過可能となり、回動側摘み片と一体側摘み片とは、付勢部材によって互いに回動方向に離反した姿勢にあっては、摘みが直線方向ガイド部を通過不能であることを特徴とする落とし棒である。
【０００７】
本発明の落とし棒は、門扉に取り付けられて門扉の開閉を阻止するものであり、上下にスライドする棒部を有し、当該棒部が地面に設けられた穴に挿入されて門扉の開閉を阻止するものである。本発明の落とし棒は、棒部の先端側に設けられた蓋部材通過部と、棒部通過孔を有する蓋部材と、直線方向ガイド部と回動方向ガイド部とを有するガイド部材を備えている。ガイド部材は、門扉に装着されている。そして、本発明の落とし棒では、棒部は、ガイド部材に対して特定の回動位置にある時に、直線方向ガイド部に沿って昇降可能であると共に、棒部の蓋部材通過部が蓋部材の棒部通過孔を通過可能であり、また、蓋部材通過部が蓋部材の下にある状態で、回動方向ガイド部に沿って棒部を回動させることが可能であり、さらに、棒部の回動後における異形部の姿勢は、蓋部材の棒部通過孔を通過することができない姿勢となる。すなわち、本発明の落とし棒は、ガイド部材に対して特定の回動位置にある時には棒部の蓋部材通過部が蓋部材の棒部通過孔を通過可能であるが、蓋部材通過部が棒部通過孔を通過して蓋部材の下にある状態で棒部を回動させると、棒部は棒部通過孔を通過することができない。そのため、地面に設けられた穴から棒部が容易に抜けることがない。本発明の落とし棒によれば、門扉に強い力が加わる場合であっても、加わる力の方向に関わらず、門扉の開閉を強固に阻止することができる。
【０００８】
また、本発明の落とし棒では、棒部に摘みが設けられており、当該摘みの一部又は全部が前記棒部に対して一体的に固定されている。そして、摘みが、ガイド部材に対して特定の回動位置にある時に、棒部が直線方向ガイド部に沿って昇降可能である。本発明の落とし棒によれば、摘みの昇降動作に応じて棒部を昇降させることができるので、操作性がよい。例えば、片手での操作も容易に行える。
【０００９】
さらに、本発明の落とし棒では、摘みが全体として棒部に対して軸方向の相対移動が不能であるから、摘みと棒部は一体的に昇降することとなる。また、本発明の落とし棒では、摘みが、棒部に対して相対回動を許容する回動側摘み片と、棒部と一体的に回動する一体側摘み片とを有する。そのため、回動側摘み片に対して一体側摘み片を回動方向に近接・離反させることにより、棒部が回動側摘み片に対して相対回動することとなる。また、回動側摘み片と一体側摘み片とが付勢部材によって互いに回動方向に離反する方向に付勢されているから、摘みの非操作時において、両摘み片は離反状態にある。そして、本発明の落とし棒では、摘みがガイド部材と係合しており、付勢部材の付勢力に抗して両摘み片を回動方向に近接させることによって、摘みが直線方向ガイド部を通過可能となり、一方、付勢部材によって両摘み片が互いに回動方向に離反した姿勢にあっては、摘みが直線方向ガイド部を通過不能である。そのため、摘みの上下位置（すなわち、棒部の上下位置）に関して、棒部先端の蓋部材通過部が蓋部材の下にある状態（門扉の開閉を阻止した状態）と蓋部材の上にある状態（門扉の開閉を許す状態）のいずれかに棒部を確実に保持することができ、棒部が意図しない上下動をする可能性が極めて小さい。本発明の落とし棒によれば、門扉の開閉を極めて確実に阻止することができ、さらに操作も簡便である。
【００１０】
請求項２に記載の発明は、前記直線方向ガイド部は、ガイド部材に設けられた上下方向に延びる開口であり、前記回動方向ガイド部は、直線方向ガイド部の上端部と下端部に設けられた水平方向に延びる切欠きであることを特徴とする請求項１に記載の落とし棒である。
【００１１】
請求項３に記載の発明は、前記直線方向ガイド部は、ガイド部材に設けられた上下方向に延びる開口であり、前記回動方向ガイド部は、直線方向ガイド部の上端部と下端部に設けられた水平方向に延びる切欠きであり、直線方向ガイド部の両端には、上下方向に延びる直線方向上端部と直線方向下端部が設けられており、前記摘みが直線方向ガイド部に沿って上方へ移動すると、一体側摘み片の一部が前記直線方向上端部に係合し、かつ、回動側摘み片が回動方向ガイド部に沿ってガイド部材に対して回動可能になり、前記摘みが直線方向ガイド部に沿って下方へ移動すると、一体側摘み片の一部が前記直線方向下端部に係合し、かつ、回動側摘み片が回動方向ガイド部に沿ってガイド部材に対して回動可能になることを特徴とする請求項１に記載の落とし棒である。
【発明の効果】
【００１２】
本発明の落とし棒によれば、門扉に強い力が加わる場合であっても、加わる力の方向に関わらず、門扉の開閉を強固に阻止することができる。
【図面の簡単な説明】
【００１３】
【図１】本発明の実施形態に係る落とし棒を備えた伸縮門扉を示す斜視図である。
【図２】図１の伸縮門扉の一部を拡大した斜視図である。
【図３】図１の伸縮門扉に落とし棒が取り付けられた部分の正面図である。
【図４】本発明の実施形態に係る落とし棒を示す正面図である。
【図５】図４の落とし棒の右側面図である。
【図６】図４の落とし棒の斜視図である。
【図７】棒部の異形部を示す図であり、（ａ）は分解斜視図、（ｂ）は斜視図、（ｃ）は（ｂ）の断面図、（ｄ）は底面図である。
【図８】ガイド部材を示す図であり、（ａ）は正面図、（ｂ）は側面図、（ｃ）は底面図である。
【図９】補助部材を示す図であり、（ａ）は正面図、（ｂ）は側面図、（ｃ）は底面図である。
【図１０】蓋部材を示す平面図である。
【図１１】摘みを示す分解斜視図である。
【図１２】図１１の摘みの回動側摘み片を示す図であり、（ａ）は斜視図、（ｂ）は平面図である。
【図１３】図１１の摘みの一体側摘み片を示す図であり、（ａ）は正面図、（ｂ）は平面図である。
【図１４】図１１の摘みが一体化されて棒部に取り付けられた状態を示す図であり、（ａ）は斜視図、（ｂ）は底面図、（ｃ）は側面図である。
【図１５】図１４の摘みを示す図であり、（ａ）は正面図、（ｂ）は背面図である。
【図１６】本発明の実施形態に係る落とし棒の摘みとガイド部材との位置関係を示す斜視図であり、（ａ）は開状態、（ｂ）は閉状態を示す。
【図１７】（ａ）〜（ｃ）は、いずれも本発明の実施形態に係る落とし棒の姿勢を示す斜視図である。
【図１８】（ａ）〜（ｃ）は、それぞれ図１７（ａ）〜（ｃ）の各姿勢における異形部と異形孔との関係を示す底面図である。
【図１９】本発明の変形例に係る落とし棒の蓋部材を示す底面図である。
【図２０】本発明の変形例に係る落とし棒の蓋部材と受け部材を示す斜視図である。
【図２１】本発明の変形例に係る落とし棒の補助部材を示す斜視図である。
【図２２】本発明の変形例に係る落とし棒の棒部を示す図であり、（ａ）は分解斜視図、（ｂ）は斜視図である。
【発明を実施するための形態】
【００１４】
以下では、本発明の落とし棒の実施形態について、図面を参照しながら詳細に説明する。なお、以下の説明は、実施形態の理解を容易にするためのものであり、これによって、本発明が制限して理解されるべきではない。
【００１５】
まず、本発明の実施形態に係る落とし棒１の伸縮門扉６０への取付状態から説明する。なお、図３における落とし棒１の長手方向を「上下方向」または「直線方向」とし、長手方向に直交する方向を「水平方向」とし、落とし棒１の軸を中心として回動する方向を「回動方向」とする。
【００１６】
図１に示すように、落とし棒１は、伸縮門扉６０等に取り付けて使用されるものである。落とし棒１は、棒部２と、地面７０に埋設された蓋部材６とを有しており、棒部２の下端部は、蓋部材６に設けられた孔を通過して地面７０に固定されている。なお、蓋部材６の下には、地面７０を掘って作られた穴７１が設けられている。
落とし棒１は、図１，２に示すように、ガイド部材３と、摘み４とを有しており、ガイド部材３と摘み４は、門扉６０を構成する桟６１の開口に取り付けられている。
落とし棒１は、図３に示すように、桟６１の内部に位置している。棒部２は桟６１内から下に突出しており、ガイド部材３は、桟６１にねじ６３で固定されている。摘み４は、桟６１の開口から外側へ突出しており、操作し易くなっている。落とし棒１は、前述の棒部２と、ガイド部材３と、摘み４と、蓋部材６のほかに、補助部材５を有している。補助部材５は、桟６１の下端部の辺６２に、長ねじ６４で固定されている。
【００１７】
つぎに、本発明の実施形態に係る落とし棒１の構成について説明する。落とし棒１は、図４〜６に示すように、棒部２が直線方向に位置し、棒部２の上端側には、水平方向に突出するようにガイド部材３と、摘み４とが位置している。摘み４は、ガイド部材３と嵌め合わされている。一方、棒部２の下端側には、水平方向に突出するように補助部材５が位置し、棒部２の下端部には、ピン１１が棒部２を水平方向に貫いており、異形部（蓋部材通過部）１０を構成している。
【００１８】
棒部２は、伸縮門扉６０を地面に固定するための部材であり、落とし棒１の主要構成をなすものである。棒部２は、図４〜６に示すように、その外形が細長い円柱状または棒状である。棒部２の内部は空洞であり、すなわち棒部２は細長の管である。棒部２は、その軸を中心として回動可能であると共に、上下にスライド可能（昇降可能）である。なお棒部２は、２本の管２ａ，２ｂが直列に連結された構造を有しているが、棒部２は１本の管で構成されていてもよいし、３本以上の管が連結されたものでもよい。棒部２は、ステンレス鋼などの剛性と耐腐食性に優れた材料からなることが望ましいが、剛性のある樹脂等を用いてもよく、例えば、管２ａを樹脂製としても構わない。なお、棒部２の内部は空洞としたが、中実の円柱でも構わない。
【００１９】
棒部２の下端部には、異形部（蓋部材通過部）１０が設けられている。図７（ａ）〜（ｃ）に示すように、異形部１０は、棒部２の下端面から少し上側の位置に設けられた孔８を介して、棒状のピン１１が水平方向に貫通した構造を有している。ピン１１は棒部２の中心軸を貫いており、換言すれば、棒部２の中心軸とピン１１の中心軸は互いに交差している。ピン１１の全長は棒部２の外径よりも大きく、ピン１１の両端は棒部２から突き出ている。そのため、異形部１０の底面視形状は、図７（ｄ）に示すように、円と長方形とが各々の重心で重なり合ったようなΦ字状である。ピン１１は、棒部２の下端面から挿入された係止栓９にて係止されている。なお、係止栓９は、ねじやビス、ピン等の係止可能な部材からなる。
【００２０】
ガイド部材３は、棒部２を昇降可能かつ回動可能に支持する部材であり、伸縮門扉６０に直接取り付けられるものである。ガイド部材３は、図８（ａ）〜（ｃ）に示すように、板状のガイド部材本体１５と、棒部２が貫通して支持される支持部１６からなる。
図８（ａ）に示すように、ガイド部材本体１５は長方形状の板状部材であり、複雑な形状のガイド用開口１７を有する。ガイド用開口１７は、長手方向（上下方向、直線方向）に延びる細長い長方形状の開口を基本とし、さらに、幅方向（左右方向、水平方向）に延びる切欠きが当該長方形状の開口の両端近傍に設けられたような形状を有している。すなわちガイド用開口１７は、長手方向に延びる細長い長方形状の開口である直線方向ガイド部１７ｂと、幅方向に延びる切欠きである回動方向ガイド部１７ａ，１７ｃを有する。
【００２１】
直線方向ガイド部１７ｂは、ガイド部材本体１５の幅方向の中央から右寄りに位置している。後述するように、直線方向ガイド部１７ｂの幅は「閉状態」の摘み４の厚みよりも大きく、「開状態」の摘み４の幅よりも小さい。そのため、摘み４は閉状態のときに限り、直線方向ガイド部１７ｂに沿って上下方向に移動可能である。
回動方向ガイド部１７ａ，１７ｃは長方形状であり、直線方向ガイド部１７ｂの両端部からガイド部材本体１５の中央に向かって延びている。後述するように、回動方向ガイド部１７ａ，１７ｃの高さ（上下方向の長さ）は、摘み４の一体側摘み片３２の高さよりもやや大きく、回動側摘み片３１の高さよりも小さい。そのため、摘み４の開状態において、一体側摘み片３２は回動方向ガイド部１７ａ，１７ｃに係合可能である。
直線方向ガイド部１７ｂの延長線上には、直線方向ガイド部１７ｂと同じ幅の直線方向端部１８ａ，１８ｂがある。直線方向端部１８ａ，１８ｂは、後述する摘み４の開状態において回動側摘み片３１が係合するものである。
さらに、ガイド部材本体１５には２個のボルト用孔２０が設けられている。ボルト用孔２０は、ガイド部材本体１５をボルトで伸縮門扉６０に取り付ける際に利用するものであり、ガイド用開口１７よりも上下方向に関して外側に位置している。
【００２２】
一方、支持部１６は、図８（ｂ），（ｃ）に示すように、ガイド部材本体１５の表面であって棒部２に対向する側に形成されている。支持部１６は右側面視がコ字状であり、２個の突出部２１を有する。突出部２１はガイド部材本体１５の表面から水平方向に突出している。突出部２１は、耐荷重性を増すために、コ字状の支持部１６の角部には、上下方向に厚みを有している。突出部２１には、棒部２が挿通される棒部挿通孔２２が設けられている。棒部挿通孔２２の内径は棒部２の外径と略同じかやや大きい。棒部２を棒部挿通孔２２に挿通することにより、棒部２はガイド部材３に対して昇降可能かつ回転可能に支持される。
ガイド部材本体１５と支持部１６は、いずれも樹脂製である。
【００２３】
補助部材５は、主に棒部２の下端側の水平方向の位置決めを容易にするための部材であり、ガイド部材３と同様に、伸縮門扉６０に直接取り付けられるものである。補助部材５は、図９（ａ）〜（ｃ）に示すように、側面視でコ字状になるように板状の部材を折り曲げたような形状を有している。補助部材５は、本体部２５と、２個の位置決め部２６と、棒部保持用孔２７と、ボルト用孔２８と、ブッシュ２９を有する。
本体部２５は平板状であり、伸縮門扉６０にボルトで直接取り付けるためのボルト用孔２８を２個有している。位置決め部２６は、本体部２５の上下の端部から水平方向に突出しており、棒部２が挿通する棒部保持用孔２７を有する。棒部保持用孔２７には、ブッシュ２９が取り付けられている。ブッシュ２９は環状であり、棒部２への傷を防止する樹脂製の保護材として機能する。ブッシュ２９の内径は棒部２の外径と略同じかやや大きい。棒部２を棒部保持用孔２７に（ブッシュ２９を介して）挿通することにより、棒部２の下端側の水平方向の位置決めが容易となる。
補助部材５は、ステンレス鋼等の剛性材料からなることが好ましいが、補助部材５とブッシュ２９とを樹脂等の同一材料で一体化しても構わない。
【００２４】
蓋部材６は、地面に設けられた穴に装着される板状の部材であり、棒部２先端の異形部（蓋部材通過部）１０が通過するものである。蓋部材６は、図１０に示すように、平面視が長方形であり、その略中央に異形孔（棒部通過孔）１３を有している。異形孔１３の形状は、棒部２先端の異形部１０の底面視形状を一回り大きくしたような形状であり、円と長方形とが各々の重心で重なり合ったようなΦ字状である。より詳細には、異形孔１３の円の部分の直径は、棒部２の外径よりも大きく、ピン１１（図７）の全長よりも小さい。また、異形孔１３の長方形の部分のサイズは、長さ・幅ともにピン１１のサイズよりも一回り大きい。そのため、異形部１０は、棒部２の姿勢（回転角度）によって異形孔１３を通過可能となったり通過不可能となったりする。
蓋部材６には、さらに２個のボルト用孔１４が設けられている。ボルト用孔１４は異形孔１３を挟む位置であって蓋部材６の長辺側にある。蓋部材６はボルト用孔１４を利用して、ボルトにより地面に固定される。
蓋部材６は、ステンレス鋼などの剛性素材からなることが好ましいが、樹脂等の他の材料と組み合わせても構わない。
【００２５】
摘み４は、図４〜６に示すように、全体として棒部２に一体的に固定されており、棒部２に対して軸方向（上下方向）の相対移動が不能である。また、摘み４は、ガイド部材３の２個の突出部２１の間にあり、より詳細には、ガイド部材３のガイド用開口１７に沿う位置にある。そのため、摘み４をガイド用開口１７に沿って昇降させることにより、棒部２を所定の範囲内で昇降させることができる。
図１１に示すように、摘み４は、回動側摘み片３１と、一体側摘み片３２と、捻りコイルばね（付勢部材）３３とからなる。
【００２６】
回動側摘み片３１は、図１２（ａ），（ｂ）に示すような複雑な形状をした樹脂製の部材であり、大きくは、板状部３５と枠部３６とで構成されている。
板状部３５は、摘み４を指で操作する際に指が係る部分であり、正面視において略長方形である。板状部３５の内側（図１２（ａ）における正面側）には凹部３９が形成されており、肉厚が薄くなっている。凹部３９の形状は、後述する一体側摘み片３２の平板部４１が丁度嵌る形状である。板状部３５の凹部３９以外の外枠部分は、コの字状の畝部５８となっている。
【００２７】
枠部３６は、正面視が逆コの字型の枠体であり、枠部本体４５と２個の枠体突出部５９を有する。枠部本体４５は板状であり、その上下方向の外寸は板状部３５の上下方向の外寸と同じである。また枠部本体４５の上下方向の内寸は、凹部３９の上下方向の長さと同じである。枠体突出部５９は、枠部本体４５の上端と下端からそれぞれ突出し、板状部３５の畝部５８と繋がって一体化している。
そして、枠体突出部５９には、棒部２が挿通する回動側挿通孔３７が設けられている。回動側挿通孔３７の内径は棒部２の外径と略同じかやや大きく、挿通された棒部２の回転を許容する。
【００２８】
凹部３９と枠部本体４５との間には、長方形状の開口３８が形成されている。開口３８は凹部３９に隣接しており、その高さ（上下方向の長さ）は凹部３９の高さと同じである。摘み４を組み立てた状態において、一体側摘み片３２の一部が開口３８から露出する。
枠部３６の内側には、係合片４０が設けられている。係合片４０は、立方体の一部を斜めに切断したような形状であり、枠部本体４５上の手前側（開口３８の逆側）に設けられている。係合片４０は２個の枠体突出部５９から等しい距離にある。係合片４０は、後述する一体側摘み片３２に設けられた係合孔５２に係合する。
枠体突出部５９の背面側（開口３８側）の隅（枠部本体４５側）には、切欠き５０が設けられている。切欠き５０は、後述する捻りコイルばね３３の腕部４６が係合する部位である。
【００２９】
一体側摘み片３２は、図１３（ａ），（ｂ）に示すような複雑な形状をした樹脂製の部材であり、大きくは、平板部４１と管状部４２とで構成されている。平板部４１は、摘み４を指で操作する際に指が係る部分であり、正面視において略長方形である。平板部４１の上下方向の長さは、回動側摘み片３１の凹部３９の上下方向の長さと略同じであり、平板部４１の厚みは、凹部３９の深さと略同じである。そのため、平板部４１を凹部３９に重ねると、丁度嵌ることとなる。
【００３０】
管状部４２は、その側面を介して平板部４１と繋がっている。管状部４２の上下方向の長さは、平板部４１の上下方向の長さよりやや小さい。そのため、正面視において、管状部４２と平板部４１との境目には高さＤの段差がある。この高さＤの段差により、後述する捻りコイルばね３３のコイル部４８を収容する隙間が形成される。
管状部４２は、棒部２が挿通する一体側挿通孔４３を有する。一体側挿通孔４３の内径は、棒部２の外径と略同じである。
【００３１】
管状部４２の側面には係合孔５２が設けられている。係合孔５２は、管状部４２の側面に設けられた横長の開口であり、平板部４１の反対側であって上下方向の略中央にある。摘み４を組み立てた状態において、回動側摘み片３１の係合片４０が係合孔５２に係合し、一体側摘み片３２が回動側摘み片３１に対して上下方向に位置決めされる。
また管状部４２の背面側（回動側摘み片３１に面する側）には、ばね係合溝５１が設けられている。ばね係合溝５１は、平板部４１と管状部４２との境目よりやや一体側挿通孔４３側の位置に形成した突起により構成されている。ばね係合溝５１には、後述する捻りコイルばね３３の直線部４７が係合する。
さらに、管状部４２の側面には、ねじ用孔４４が設けられている。一体側挿通孔４３に通された棒部２は、ねじ用孔４４を介してねじ３４で固定される。これにより、一体側摘み片３２は棒部２と一体的に回転可能となる。
【００３２】
捻りコイルばね（付勢部材）３３は、図１４（ａ）〜（ｃ）に示すように、回動側摘み片３１と一体側摘み片３２とを互いに回転方向に離反する方向に付勢するものである。捻りコイルばね３３は、図１１に示すように、コイル部４８を２個有するダブルトーションばねであり、腕部４６と、コイル部４８同士を繋ぐ直線部４７とを有する。２個のコイル部４８間の距離は、一体側摘み片３２の管状部４２の上下方向の長さに略等しい。そのため、２個のコイル部４８で管状部４２を挟むことが可能である。また、コイル部４８の内径は、回動側挿通孔３７や一体側挿通孔４３の内径と略同じかやや大きい。
コイル部４８の厚み（自由長）は、一体側摘み片３２の段差の高さＤよりやや小さい。
【００３３】
摘み４の組み立て構造は、図１４（ａ）〜（ｃ）、図１５（ａ），（ｂ）に示すとおりである。まず、一体側摘み片３２の管状部４２に、捻りコイルばね３３が取り付けられている。ここで、管状部４２は捻りコイルばね３３の２個のコイル部４８で挟まれており、また、一体側挿通孔４３の中心軸とコイル部４８の中心軸とが一致している。この状態で、回動側摘み片３１の枠部３６の内側に一体側摘み片３２が（捻りコイルばね３３を介して）嵌っている。ここで、回動側挿通孔３７の中心軸と一体側挿通孔４３の中心軸（及びコイル部４８の中心軸）とが一致している。そのため、棒部２が回動側挿通孔３７、コイル部４８、および一体側挿通孔４３を挿通できる。
なお、コイル部４８の厚み（自由長）は一体側摘み片３２の段差の高さＤより小さいから、コイル部４８は、枠部３６と管状部４２との隙間に収まる。
さらに、捻りコイルばね３３の腕部４６が回動側摘み片３１の切欠き５０と係合し、捻りコイルばね３３の直線部４７が一体側摘み片３２のばね係合溝５１に係合している。これにより、回動側摘み片３１と一体側摘み片３２とが、互いに回転方向に離反する方向に付勢可能となる。
さらに、回動側摘み片３１の係合片４０と一体側摘み片３２の係合孔５２とが係合している。
【００３４】
つぎに、本発明の実施形態に係る落とし棒１の摘み４とガイド部材３の位置関係について説明する。ガイド部材３に嵌め合わされた摘み４は、図１６（ａ）に示す「開状態」か、あるいは図１６（ｂ）に示す「閉状態」のどちらかの状態となる。
図１６（ａ）に示す「開状態」では、摘み４は、ガイド部材３の回動方向ガイド部１７ａに位置しており、摘み４の一体側摘み片３２は、ガイド部材３の回動方向ガイド部１７ａの左側の縁に当接し、回動側摘み片３１は、回動方向ガイド部１７ａの右側の辺に当接している。この時、一体側摘み片３２と回動側摘み片３１とは、Ｚ度の角度で離反している。なお、回動方向ガイド部１７ｃにおいても、摘み４は同様の状態となる。
一方、図１６（ｂ）に示す「閉状態」では、摘み４は直線方向ガイド部１７ｂに位置しており、摘み４の一体側摘み片３２は、回動側摘み片３１の凹部３９内に収容されている。この時、一体側摘み片３２と回動側摘み片３１とは、平面視および側面視で共に重なり合っている（０度の角度）。
つまり、摘み４（一体側摘み片３２）は、ガイド部材３に嵌め合わされた状態においては、０度〜Ｚ度の範囲内で回動することが可能であり、摘み４（一体側摘み片３２）の回動に合わせて、棒部２の異形部（蓋部材通過部）１０も、０度〜Ｚ度の範囲内で回動することが可能である。
【００３５】
つぎに、本発明の実施形態に係る落とし棒１がとり得る姿勢について説明する。落とし棒１は、図１７（ａ）〜（ｃ）に示すように３つの姿勢をとる。ここで、図１７（ａ）〜（ｃ）のそれぞれの姿勢を「Ａ〜Ｃ」と呼ぶ。Ａ〜Ｃの姿勢は、摘み４が位置しているガイド部材３の部位に対応しており、それぞれガイド部材３の回動方向ガイド部１７ａ、直線方向ガイド部１７ｂ、回動方向ガイド部１７ｃに対応している。
【００３６】
図１７（ａ）に示すＡの姿勢では、捻りコイルばね３３の付勢力によって、一体側摘み片３２は、回動側摘み片３１から回動方向に離反している。すなわち、摘み４は「開状態」にあり、上下方向に対して回動方向ガイド部１７ａに位置している。そのため、一体側摘み片３２は回動方向ガイド部１７ａに係合し、回動側摘み片３１は直線方向端部１８ａと回動方向ガイド部１７ａに係合している。この時、棒部２の異形部１０は、蓋部材６より上の、十分離れた位置にある。
図１７（ｂ）に示すＢの姿勢では、一体側摘み片３２は、捻りコイルばね３３の付勢力に抗して回動側摘み片３１に近接している。すなわち、摘み４は「閉状態」にあり、上下方向に対して直線方向ガイド部１７ｂの略中央に位置している。この時、棒部２の異形部１０は、蓋部材６の異形孔１３に略合致し通過する位置にある。
図１７（ｃ）に示すＣの姿勢では、捻りコイルばね３３の付勢力によって、一体側摘み片３２は、回動側摘み片３１から回動方向に離反している。すなわち、摘み４はＡと同様に「開状態」にあり、上下方向に対して回動方向ガイド部１７ｃに位置している。そのため、一体側摘み片３２は回動方向ガイド部１７ｃに係合し、回動側摘み片３１は直線方向端部１８ｂと回動方向ガイド部１７ｃに係合している。この時、棒部２の異形部１０は、蓋部材６より下の、地面７０に設けられた穴７１の中にある。
【００３７】
上記図１７（ａ）〜（ｃ）に示すＡ〜Ｃの姿勢を底面視すると、図１８（ａ）〜（ｃ）に示す姿勢となる。なお、図１８（ａ）〜（ｃ）は、図１７（ａ）〜（ｃ）に示す「Ａ〜Ｃ」の姿勢にそれぞれ対応している。
図１８（ａ）に示すＡの姿勢では、捻りコイルばね３３の付勢力によって、一体側摘み片３２は、回動側摘み片３１に対して、Ｚ度の角度で回動方向に離反している。すなわち、摘み４は「開状態」にある。この時、棒部２の異形部１０は、蓋部材６の異形孔１３に対してＺ度の角度をなす。
図１８（ｂ）に示すＢの姿勢では、一体側摘み片３２は、捻りコイルばね３３の付勢力に抗して回動側摘み片３１に近接し、回動側摘み片３１内の凹部３９に収まる。すなわち、摘み４は「閉状態」にある。この時、棒部２の異形部１０は、蓋部材６の異形孔１３と略合致する。
図１８（ｃ）に示すＣの姿勢では、上記Ａの姿勢と同一となる。
【００３８】
上記図１７（ａ）〜（ｃ）および図１８（ａ）〜（ｃ）に示すＡ〜Ｃの姿勢において、摘み４と棒部２とは連動しており、摘み４を「開状態」から「閉状態」へ回動させると、棒部２の異形部１０も回動する。また、摘み４を「閉状態」のまま上下させると、棒部２の異形部１０も上下する。つまり、摘み４が「閉状態」の場合にのみ、摘み４は直線方向ガイド部１７ｂを通過可能であり、棒部２の異形部１０が、蓋部材６の異形孔１３と略合致する姿勢となって、棒部２が蓋部材６を通過可能となる。前記の状態のまま、摘み４を直線方向ガイド部１７ｂに沿って回動方向ガイド部１７ｃまでスライドさせると、棒部２は地面７０に設けられた穴７１の中に至る。そして、摘み４を「閉状態」から「開状態」へ回動させると、棒部２の異形部１０も回動し、異形部１０は異形孔１３に対してＺ度の角度をなす。すなわち、棒部２の異形部１０は、蓋部材６の異形孔１３を通過することができない姿勢となる。さらに、摘み４は、捻りコイルばね３３の付勢力によって、ガイド部材３に強固に係合する。つまり、棒部２は、蓋部材６の下の穴７１の中でロックされる。
【００３９】
つぎに、本発明の実施形態に係る落とし棒１の操作方法について説明する。図１７（ａ）において、摘み４の一体側摘み片３２と回動側摘み片３１を指で摘むと、棒部２は、図１７（ｂ）のように、昇降可能な回転姿勢になる。その状態のまま、摘み４を下へ降ろすと、棒部２は直線方向ガイド部１７ｂに沿ってスライドし、棒部２の異形部１０が蓋部材６の異形孔１３を通過する。そして、摘み４は、回動方向ガイド部１７ｃに至り、棒部２の異形部１０は、蓋部材６の下の穴７１に位置する。この状態において、摘み４から指を離すと、図１７（ｃ）のように、一体側摘み片３２は回動方向ガイド部１７ｃにて回動し、回動側摘み片３１からＺ度の角度で離反して下係合縁５６に係合する。この時、異形部１０は、異形孔１３に対してＺ度の角度をなす。
【００４０】
上記のように、摘み４を指で摘むだけで、棒部２の異形部１０は、蓋部材６の異形孔１３を通過可能な姿勢となる。その状態で、摘み４を上下にスライドさせると、棒部２も同じように上下にスライドする。よって、摘み４の操作性が良く、棒部２の昇降を片手で容易に行うことができる。
また、摘み４から指を離すと、回動方向ガイド部１７ａ，１７ｃにおいて、棒部２の異形部１０は、蓋部材６の異形孔１３を通過できない姿勢となる。この状態において、摘み４は、捻りコイルばね３３の付勢力によって、ガイド部材３に強固に係合している。回動方向ガイド部１７ｃにおいては、異形部１０は蓋部材６を通過し、地面７０に設けられた穴７１の中でロックされている。よって、棒部２が、地面７０に設けられた穴７１から容易に抜けることはない。
【００４１】
以上のように、本実施形態によれば、棒部２の異形部１０は、蓋部材６の異形孔１３を通過しており、さらに異形部１０は異形孔１３を通過できない姿勢をとっている。すなわち、異形部１０は地面７０に設けられた穴７１の中でロックされている。このことにより、伸縮門扉６０に強い力が加わる場合であっても、落とし棒１が地面７０に設けられた穴７１から容易に抜けることを高度に防止できる。つまり、加わる力の方向に関わらず、伸縮門扉６０の開閉を強固に阻止することができる。
【００４２】
上記した実施形態では、蓋部材６の異形孔（棒部通過孔）１３は、底面視でΦ字状の例を示したが、本発明はこれに限定されるものではない。例えば、蓋部材６の異形孔１３に代えて、図１９に示すような長方形の棒部通過孔８０でも構わない。
【００４３】
上記した実施形態では、蓋部材６は板状の部材を地面に埋設する例を示したが、本発明はこれに限定されるものではない。例えば、図２０に示すような異形孔１３を有した蓋部材９０と、容器状の受け部材８１と組み合わせて地面に埋設しても構わない。また、蓋部材９０と受け部材８１とを一体化しても構わない。
【００４４】
上記した実施形態では、補助部材５はコ字状の板部材とする例を示したが、本発明はこれに限定されるものではない。例えば、図２１に示すような補助部材８２を用いても構わない。補助部材８２は、側面に開口を有した箱形状であり、上面及び下面に棒部保持用孔２７が設けられている。補助部材８２は樹脂等で成形してもよく、上記した実施形態で示した樹脂製の保護材であるブッシュ２９が不要となり、コストダウンを図ることができる。
【００４５】
上記した実施形態では、ピン１１は円柱状（中実）とする例を示したが、本発明はこれに限定されるものではない。例えば、図２２（ａ）に示すような側面視でＤ字状となるピン８３を用いても構わない。ピン８３のように上部に平面部８６を設けることで、蓋部材６と平面部８６との接触面積を増加させることができ、棒部２をより抜け難くすることができる。
また上記した実施形態では、ピン１１の中央部を窪んだ形状とする例を示したが、本発明はこれに限定されるものではない。例えば、図２２（ａ）に示すような孔８５をピン８３に設け、長めの係止ピン８４と組み合わせても構わない。図２２（ｂ）に示すように、棒部２にピン８３を挿通し、係止ピン８４を圧入等により係止させる。
【００４６】
さらに、ピン８３の孔８５の径を、係止ピン８４の径よりも大きくすることにより、ピン８３と係止ピン８４との間に「遊び」を確保することができる。例えば、棒部２が斜めの引張り力を受けた場合に、ピン８３は「遊び」の分だけ棒部２の傾きを許容することができる。このことにより、棒部２が「遊び」の分だけ傾いた場合でも、ピン８３の平面部８６と蓋部材６との接触状態を維持することができ、棒部２をより抜け難くすることができる。
【符号の説明】
【００４７】
１    落とし棒
２    棒部
３    ガイド部材
４    摘み
６    蓋部材
１０    異形部（蓋部材通過部）
１３    異形孔（棒部通過孔）
１７ａ  回動方向ガイド部
１７ｂ  直線方向ガイド部
１７ｃ  回動方向ガイド部
３１    回動側摘み片
３２    一体側摘み片
３３    捻りコイルばね（付勢部材）
６０    伸縮門扉
７０    地面
７１    穴
【図１】
0005603056.tif 000002
【図２】
0005603056.tif 000003
【図３】
0005603056.tif 000004
【図４】
0005603056.tif 000005
【図５】
0005603056.tif 000006
【図６】
0005603056.tif 000007
【図７】
0005603056.tif 000008
【図８】
0005603056.tif 000009
【図９】
0005603056.tif 000010
【図１０】
0005603056.tif 000011
【図１１】
0005603056.tif 000012
【図１２】
0005603056.tif 000013
【図１３】
0005603056.tif 000014
【図１４】
0005603056.tif 000015
【図１５】
0005603056.tif 000016
【図１６】
0005603056.tif 000017
【図１７】
0005603056.tif 000018
【図１８】
0005603056.tif 000019
【図１９】
0005603056.tif 000020
【図２０】
0005603056.tif 000021
【図２１】
0005603056.tif 000022
【図２２】
0005603056.tif 000023